(57)【特許請求の範囲】
【請求項１】
容器本体と蓋体との各後端部を蝶着したコンパクト容器において、前記容器本体の前壁に前面および上面を開放した有底凹所を形成して前記有底凹所の奥面に本体側係合突起を突設するとともに、前記本体側係合突起の両側下方に上端角縁を曲面角に形成した一対の突出部を設け、一方、前記蓋体の前端部に前面および上面を開放した切欠凹所を形成してその低壁前端縁に内向きの蓋体側係合突起を下端に突設した垂下片を垂設するとともに、前記垂下片の基端部両脇に押し釦係着用の軸を設け、且つ、下端を前記曲面角と対応する傾斜面とした縦リブを内面側に設けた押し釦を前記切欠凹所にその前面と上面を露出して前記縦リブ上部の孔溝を前記軸に係着することにより回動可能に前記垂下片を覆って装着し、前記押し釦の前記曲面角よりも低い位置にある押圧点を押圧することにより、前記傾斜面で前記曲面角を押し下げ前記係合突起の係合が解除されることを特徴とするコンパクト容器。
【発明の詳細な説明】
【０００１】
【発明の属する技術分野】
本発明は、押し釦によりワンタッチで蓋を開放することのできるコンパクト容器に関する。
【０００２】
【従来の技術】
従来よりコンパクト容器の蓋をワンタッチで簡単に開放できるように、押し釦を使用したものが多数提案されている。そして、押し釦は蓋の有効な開放手段であるとともに、押し釦を目立つように蓋側に装着することによりコンパクト容器に装飾的アクセントを付与する好適な手段ともなっている。
【０００３】
例えば、図５は、実公平４ー５１６８５号公報に開示されたコンパクト容器の主要部であり、蓋側に装着された押し釦による開放手段の一例を示している。このコンパクト容器は、容器本体３１の前端縁部に凹所３２を設け、この凹所３２の奥面に係合突起３３を設けるとともに凹所３２の底面を前端から奥面にかけて上がり勾配の傾斜面３４に形成してある。一方、蓋体３５の前端縁部に垂下片３６を垂設し、この垂下片３６の内面に前記容器本体３１の係合突起３３と係合する係合突起３７を設けるとともに、蓋体３５の前端部には揺動可能に押し釦３８が結合されている。そして、押し釦３８の下方を指Ｓで押し上げ、押し釦３８の下端を傾斜面３４に沿い摺動させて蓋体３５を開放するものである。
【０００４】
この従来のコンパクト容器における押し釦３８は、蓋体３５の閉塞時には、蓋体３５と容器本体３１との前端面に露出しているので、コンパクト容器の装飾的アクセントとなっている。しかしながら、この考案には、押し釦３８をコンパクト容器の装飾手段として蓋体３５の上面に迄出露させて積極的に活用しようとする技術思想はなく、押し釦３８を装飾部材とするには不充分な構成である。また、このコンパクト容器は、押し釦３８の下端全幅と容器本体３１の凹所３２の傾斜面３４とが幅広く面接触状に摺接する摺動摩擦面の大きな構成であるので、押し釦３８を操作したとき指先にかかる摺接部の抵抗感が大きく、軽快感に乏しかった。
【０００５】
また、実公平７ー１１６８９号公報に開示されたコンパクト容器（図示省略）には、蓋体に装着された押し釦がコンパクト容器の前端面から上面にかけて露出し、蓋体の装飾的アクセントとして強調されて設けられており、装飾部材として積極的に活用されている。しかしながら、このコンパクト容器の押し釦による開放機構は、上述したコンパクト容器と同様に押し釦の下端と容器本体の凹所の傾斜面とが幅広く摺接する構成であるので、前記従来のコンパクト容器に於ける課題と同様の問題を有している。
【０００６】
また、既述した従来の何れのコンパクト容器も、押し釦の下方のみならず中央部分を押圧しても押し釦が作動してしまう構造であるので、殊に、コンパクト容器の先端縁が円弧面のデザインであると、先端縁に装着されている押し釦は作動可能点である中央部分が周囲に当たり易く、従って、ハンドバックの中などで不用意に作動して開蓋されてしまい化粧料による汚染の心配があった。
【０００７】
【発明が解決しようとする課題】
本発明は、上記の問題に鑑みてなされたもので、蓋体に装着された押し釦により装飾効果を高め、蓋体の閉塞が軽快に開放されるとともに、不用意には開蓋されにくいコンパクト容器にすることを課題としている。
【０００８】
【課題を解決するための手段】
本発明に係るコンパクト容器は、容器本体と蓋体との各後端部を蝶着したコンパクト容器において、前記容器本体の前壁に前面および上面を開放した有底凹所を形成して前記有底凹所の奥面に本体側係合突起を突設するとともに、前記本体側係合突起の両側下方に上端角縁を曲面角に形成した一対の突出部を設け、一方、前記蓋体の前端部に前面および上面を開放した切欠凹所を形成してその低壁前端縁に内向きの蓋体側係合突起を下端に突設した垂下片を垂設するとともに、前記垂下片の基端部両脇に押し釦係着用の軸を設け、且つ、下端を前記曲面角と対応する傾斜面とした縦リブを内面側に設けた押し釦を前記切欠凹所にその前面と上面を露出して前記縦リブ上部の孔溝を前記軸に係着することにより回動可能に前記垂下片を覆って装着し、前記押し釦の前記曲面角よりも低い位置にある押圧点を押圧することにより、前記傾斜面で前記曲面角を押し下げ前記係合突起の係合が解除される構成としたものである。
【０００９】
【発明の実施の形態】
以下、本発明の好適な実施の形態を添付図面を参照しながら詳細に説明する。
【００１０】
図１乃至図４は、本発明のコンパクト容器の実施の形態を示すもので、これらの図において符合１は容器本体であり、符合１０は前記容器本体１の後端部に軸ピン２で蝶着された蓋体であり、何れもＡＳ、ＰＳ、ＡＢＳなど、硬質の汎用合成樹脂材料を用いて形成されている。
【００１１】
容器本体１は、上面に化粧皿（図示省略）が収納される収納凹所３が設けられた扁平な方形の箱体であり、その前壁４の中央部には前面および上面を開放した有底凹所５がを形成され、この有底凹所５の奥面５ａの中央上部には本体側係合突起６が突設されている。また、有底凹所５の奥面５ａには前記本体側係合突起６の両側に沿った本体側係合突起６よりも下方の位置に、上端角縁がそれぞれ曲面角７ａに形成された突出部７が一対に設けられている。尚、この突出部７は、図示した幅の狭い突条に限るものではなく、上端角縁が曲面角７ａのブロック状に形成してもよい。
【００１２】
一方、蓋体１０は、天板１１の周縁から低い周壁１２が垂設され、内面に化粧鏡１３が貼着されており、その前端部には前面および上面を開放した切欠凹所１４が形成されており、この切欠凹所１４の低壁１４ａ前端縁には下端に内向きの蓋体側係合突起１５が突設された垂下片１６が垂設され、この垂下片１６の基端部両脇には押し釦２０が回動可能に係着する丸棒状の軸１４ｂ，１４ｂが形成されている。
【００１３】
押し釦２０は、蓋体１０の切欠凹所１４内に垂下片１６を覆って装着されて切欠凹所１４からその前面２０ａと上面２０ｂを露出するように断面が略Ｌ字状に形成されている。そして、図２に示すように、その内面側には容器本体１の有底凹所５の一対の突出部７，７と対応するように突出部７，７と同間隔を置いて幅の狭い一対の縦リブ２１，２１が突設されている。この縦リブ２１，２１の上部には蓋体１０の切欠凹所１４の軸１４ｂ，１４ｂに係着する為の孔溝２２，２２が穿設されているとともに、その下端は容器本体１の有底凹所５の突出部７の曲面角７ａ，７ａと対応する傾斜面２３，２３に形成されており、閉蓋時には曲面角７ａ，７ａと当接している。尚、曲面角７ａは、押し釦２０を作動させたとき、押し釦２０の傾斜面２３が角部によって食い込まれるのを防止し、押し釦２０が円滑に摺動する為の曲面であるので小さな半径でよい。
【００１４】
本実施の形態に於ける押し釦２０は、蓋体１０の開放手段であるとともに、蓋体１０の前端部と上面とに露出させて装飾部材とするものであるので、図に示された形状に限るものではない。蓋体１０の切欠凹所１４と容器本体１の有底凹所５の形や大きさを変えることにより多様なデザインにすることが可能であり、蓋体１０の天板１１上端面や容器本体１の前壁４の前端面から隆起させて露出させ、装飾性を更に強調した形にしてもよいことは言うまでもない。
【００１５】
以上のように構成された実施の形態に於いて閉蓋状態にあるときは、図３に示すように、押し釦２０の縦リブ２１の下端の傾斜面２３が容器本体１の有底凹所５の突出部７の曲面角７ａに当接しており、本体側係合突起６と蓋体側係合突起１５とが曲面角７ａよりも上方で係合するように設定されており、蓋体１０による容器本体１の閉塞状態が保持されている。
【００１６】
そして、押し釦２０の前面の下方、即ち、押し釦２０の傾斜面２３が当接する曲面角７ａの位置よりも低い位置を押圧点２４として手指の先で押圧したとき、押し釦２０は作動し、蓋体１０は開放される。
【００１７】
即ち、押し釦２０の傾斜面２３が当接する曲面角７ａよりも低い押圧点２４を押圧することにより、押圧力は曲面角７ａよりも上方にある係合突起１５，６どうしの係合が深まる方向に力を伝達することがなく、傾斜面２３による押圧力の斜め下方へ向かう分力が曲面角７ａへ充分にかかり、係合突起１５，６の係合を解除する方向へ曲面角７ａを押し下げる。
【００１８】
従って、蓋体側係合突起１５は本体側係合突起６を無理なく乗り越えて容易に解除されるとともに、押し釦２０は、その幅の狭い縦リブ２１の傾斜面２３を曲面角７ａに線接触状に摺接しながら回動するので従来例に比較して摺動摩擦面が小さく、押し釦２０を操作したときの摺動摩擦による抵抗感が少なく、押し釦２０の押圧操作に素早く反応して軽快に開蓋する。尚、押し釦２０の縦リブ２１を拡幅に形成し、有底凹所５の突出部７を幅の狭い突条とすることでも摺動摩擦面を小さくするできる（図示省略）。従って、同様の効果を得ることができるので、デザインや設計を勘案して摺動摩擦が小さくなるように縦リブ２１又は突出部７の少なくとも何れか一方の幅を狭くした所望の構造を選択すればよい。
【００１９】
また、本実施の形態にあっては、押し釦２０の前面のほぼ中央部分から上方、即ち、曲面角７ａの位置よりも高い位置を押圧しても、押し釦２０への押圧力は係合突起１５，６どうしの係合が深まる方向に強く作用し、押し釦２０を係合突起１５，６の解除方向に回動させることは難しく、係合突起１５，６の係合の解除手段とはならない構成となっている。従って、押し釦２０の中央部に衝撃を受けても押し釦２０が簡単に作動することはないので、ハンドバックの中などにおいて押し釦２０の作動可能点に衝撃を受けやすい先端縁が円弧面のデザインのコンパクト容器には好適な構造である。
【００２０】
【発明の効果】
以上説明したような形態で実施される本発明のコンパクト容器は、以下に記載されるような効果を奏する。
【００２１】
押し釦を蓋体前端に回動可能に装着するとともに押し釦の内面側に縦リブを設け、この縦リブ下端の傾斜面が曲面角に摺接しながら回動するようにしたので、従来例に比較して摺動摩擦面が小さく、押し釦を操作したとき指先にかかる摺動摩擦による抵抗感が少なく押圧操作に素早く反応する。従って、使いここちのよい軽快な開蓋感触が得られ、化粧容器としての価値が向上する。
【００２２】
また、押し釦の傾斜面が当接する曲面角よりも低い押圧点を押圧することにより作動し、押し釦の中央部を押圧しても作動しにくい構成としたので、外部の衝撃を押し釦の中央部に受けやすい前端が円弧面に形成されたコンパクト容器でも安心して押し釦が採用でき、ハンドバックの中で不用意に衝撃を受けて開蓋し辺りを化粧料で汚染してしまう事故を防止することができる。
【００２３】
更に、押し釦の前面と上面を蓋体の前端部の切欠凹所に露出して装飾部材とするとともに、押し釦の大きさや形状を自由に形成できるようにしたので、装飾的に多様な押し釦を有するコンパクト容器を提供することができる。
【図面の簡単な説明】
【図１】  本発明のコンパクト容器の実施の形態を示す分解斜視図。
【図２】  図１に使用される押し釦の拡大斜視図。
【図３】  図１のコンパクト容器の主要部断面図。
【図４】  図１のコンパクト容器の斜視図。
【図５】  従来例を示す断面図。
【符号の説明】
１  容器本体，４  前壁，５  有底凹所，５ａ  奥面，６  本体側係合突起，７  突出部，７ａ  曲面角，１０  蓋体，１４  切欠凹所，１４ａ  低壁，１５  蓋体側係合突起，１６  垂下片，２０  押し釦，２０ａ  前面，２０ｂ  上面，２１  縦リブ，２３  傾斜面，２４  押圧点
【図１】
0004288533.tif 000002
【図２】
0004288533.tif 000003
【図３】
0004288533.tif 000004
【図４】
0004288533.tif 000005
【図５】
0004288533.tif 000006